(57)【要約】【課題】音楽によるリラクゼーション効果をより一層高めることが出来るスピーカ装置を提供する。【解決手段】本発明に係るスピーカ装置において、スピーカ３から放射される音波を受ける音響室１１の内面には、熱又は振動によって空気中にマイナスイオンを発生させるトルマリンを粉砕した微粉末を主成分とする柔軟材による被覆層５１によるマイナスイオン発生源が設けられている。【選択図】      図１
2004274162.tif 000002
【特許請求の範囲】
【請求項１】
キャビネット（１０）内にスピーカ（３）が設置されているスピーカ装置において、前記スピーカ（３）から放射される音波を受ける位置に、マイナスイオン発生源が設けられていることを特徴とするスピーカ装置。
【請求項２】
前記キャビネット（１０）の内部には、スピーカ（３）からの音波が放射される音響室（１１）が形成され、該音響室（１１）は、開口（２１）を通じて外部に開放されており、音響室（１１）の内面には、熱又は振動によって空気中にマイナスイオンを発生させる物質を主成分とする被覆層（５１）が少なくとも一部の領域に形成され、該被覆層（５１）によって前記マイナスイオン発生源が形成されている請求項１に記載のスピーカ装置。
【請求項３】
前記キャビネット（１０）の内部には、スピーカ（３）からの音波が放射される音響室（１１）が形成され、該音響室（１１）は、開口（２１）を通じて外部に開放されており、音響室（１１）には、コロナ放電装置（５２）が取り付けられ、該コロナ放電装置（５２）によって前記マイナスイオン発生源が形成されている請求項１に記載のスピーカ装置。
【請求項４】
前記スピーカ（３）の前面は、熱又は振動によって空気中にマイナスイオンを発生させる物質を含有した布材によって覆われており、該布材によって前記マイナスイオン発生源が形成されている請求項１に記載のスピーカ装置。
【請求項５】
前記キャビネット（１０）の内部には、スピーカ（３）からの音波が放射される音響室（１１）が形成され、該音響室（１１）は、開口（２１）を通じて外部に開放されており、該開口（２１）は、熱又は振動によって空気中にマイナスイオンを発生させる物質を含有した布材によって覆われ、該布材によって前記マイナスイオン発生源が形成されている請求項１に記載のスピーカ装置。
【請求項６】
本体（１）の内部にスピーカ（３）が設置されている電子機器において、前記スピーカ（３）から放射される音波を受ける位置に、マイナスイオン発生源が設けられていることを特徴とするスピーカを具えた電子機器。
【発明の詳細な説明】
【０００１】
本発明は、キャビネット内にスピーカを設置して構成されるスピーカ装置、及びスピーカを具えた電子機器に関するものである。
【０００２】
【従来の技術】
従来、マイナスイオン発生源を具え、該マイナスイオン発生源から発生するマイナスイオンによるリラクゼーション効果を有する様々な製品が開発されている。
このようなマイナスイオン発生源を具えた製品として、例えば、マイナスイオン発生装置を具えた空気清浄器が知られている。該空気清浄器において、室内の空気は空気取り込み口から取り入れられ、取り入られた空気はフィルターより浄化された後に空気吹き出し口から室内へ放出される。又、該空気吹き出し口には、マイナスイオン発生装置が取り付けられており、該マイナスイオン発生装置によって作り出されたマイナスイオンは、空気吹き出し口の空気を室内へ吹き出す力によって、前述の浄化された空気と共に室内に放出される。この様な空気清浄器の動作によって、室内の空気を清浄な状態に保つことが出来ると共に、室内にはマイナスイオンが行き渡ることとなり、室内のユーザは、マイナスイオンによるリラクゼーション効果を受けることが出来る。
【０００３】
又、他のマイナスイオン発生源を具えた製品として、特許文献１のめがねが知られている。
該めがねにおいては、熱によって空気中にマイナスイオンを発生させるセラミック体の微粉末を含有した材料によって耳掛けや鼻パッドが形成されている。これらは人体から発生する熱によって直接に暖められることにより、マイナスイオンを空気中に発生させる。これによって、ユーザは、マイナスイオンによるリラクゼーション効果を受けることが出来る。
【０００４】
【特許文献１】
2004274162.tif 000003
【０００５】
【発明が解決しようとする課題】
しかしながら、上記マイナスイオン発生源を具えた空気清浄器及び特許文献１のめがねにおいては、マイナスイオンによるリラクゼーション効果は得られるものの、その効果には限度があり、更に高いリラクゼーション効果が要求される場合にはその要求に応じることが出来ない問題があった。
ところで、音楽によってリラクゼーション効果が得られることは従来から知られている。
そこで本発明の目的は、音楽によるリラクゼーション効果をより一層高めることが出来るスピーカ装置、及びスピーカを具えた電子機器を提供することである。
【０００６】
【発明を解決する為の手段】
本発明に係るスピーカ装置においては、キャビネット（１０）内にスピーカ（３）が設置されており、前記スピーカ（３）から放射される音波を受ける位置は、マイナスイオン発生源が設けられている。
【０００７】
上記本発明に係るスピーカ装置において、マイナスイオン発生源から発生したマイナスイオンは、スピーカ（３）から放射される音波に乗って、空気中を徐々に移動することとなり、最終的にはユーザの位置まで運ばれる。これによって、ユーザは、音楽を聞くと同時に音波によって運ばれるマイナスイオンを浴びることとなる。
従って、音楽によるリラクゼーション効果にマイナスイオンを浴びることによるリラクゼーション効果が相乗されることとなり、この結果、音楽によるリラクゼーション効果がより一層高められる。
【０００８】
又、具体的構成において、前記キャビネット（１０）の内部には、スピーカ（３）からの音波が放射される音響室（１１）が形成され、該音響室（１１）は、開口（２１）を通じて外部に開放されている。音響室（１１）の内面には、熱又は振動によって空気中にマイナスイオンを発生させる物質を主成分とする被覆層（５１）が少なくとも一部の領域に形成され、該被覆層（５１）によって前記マイナスイオン発生源が形成されている。
該具体的構成においては、スピーカ（３）の振動に伴って音響室（１１）に形成された被覆層（５１）が振動することにより、被覆層（５１）は空気中に大量のマイナスイオンを発生させるので、音響室（１１）内はマイナスイオンで満たされることとなる。該マイナスイオンは、前記スピーカ（３）からの音波に乗って、開口（２１）から外部に放出された後、空気中を徐々に移動し、最終的にはユーザの位置まで運ばれる。これによって、ユーザは、音楽を聞きながらマイナスイオンを浴びることとなる。
【０００９】
又、具体的構成において、前記音響室（１１）には、コロナ放電装置（５２）が取り付けられ、該コロナ放電装置（５２）によって前記マイナスイオン発生源が形成されている。
該具体的構成において、音響室（１１）内は、前記コロナ放電装置（５２）によって大量のマイナスイオンで満たされることとなる。該マイナスイオンは、前記スピーカ（３）からの音波に乗って、開口（２１）から外部に放出された後、空気中を徐々に移動し、最終的にはユーザの位置まで運ばれる。これによって、ユーザは、音楽を聞きながらマイナスイオンを浴びることとなる。
【００１０】
又、具体的構成において、前記スピーカ（３）の前面は、熱又は振動によって空気中にマイナスイオンを発生させる物質を含有した布材によって覆われており、該布材によって前記マイナスイオン発生源が形成されている。
該具体的構成においては、スピーカ（３）からの音波によって布材が振動することにより、布材は空気中に大量のマイナスイオンを発生させる。該マイナスイオンは、前記スピーカ（３）からの音波に乗って、空気中を徐々に移動し、最終的にはユーザの位置まで運ばれる。これによって、ユーザは、音楽を聞きながらマイナスイオンを浴びることとなる。
【００１１】
更に具体的な構成において、前記開口（２１）は、熱又は振動によって空気中にマイナスイオンを発生させる物質を含有した布材によって覆われ、該布材によって前記マイナスイオン発生源が形成されている。
該具体的構成において、前記音響室（１１）に放射された音波は、開口（２１）から外部に放出されることとなり、該音波によって開口（２１）を覆う布材が振動することによって、布材は空気中に大量のマイナスイオンを発生させる。該マイナスイオンは、前記スピーカ（３）からの音波に乗って、空気中を徐々に移動し、最終的にはユーザの位置まで運ばれる。これによって、ユーザは、音楽を聞きながらマイナスイオンを浴びることとなる。
【００１２】
又、本発明に係るスピーカを具えた電子機器においては、本体（１）の内部にスピーカ（３）が設置されており、前記スピーカ（３）から放射される音波を受ける位置に、マイナスイオン発生源が設けられている。
【００１３】
上記本発明に係るスピーカを具えた電子機器において、マイナスイオン発生源から発生したマイナスイオンは、本体（１）内部のスピーカ（３）から放射される音波に乗って、空気中を徐々に移動することとなり、最終的にはユーザの位置まで移動する。これによって、ユーザは、音楽を聞くと同時に音波によって運ばれるマイナスイオンを浴びることとなる。
従って、音楽によるリラクゼーション効果にマイナスイオンを浴びることによるリラクゼーション効果が相乗されることとなり、この結果、音楽によるリラクゼーション効果がより一層高められる。
【００１４】
【発明の効果】
本発明に係るスピーカ装置及びスピーカを具えた電子機器によれば、音楽によるリラクゼーション効果をより一層高めることが出来る。
【００１５】
【発明の実施の形態】
以下、本発明をスピーカ装置に実施した形態と、電子機器に実施した形態につき、図面に沿って具体的に説明する。
スピーカ装置に実施した形態
本発明に係るスピーカ装置は、図１及び図２に示す如く、直方体状のキャビネット（１０）を具え、該キャビネット（１０）の内部には音響室（１１）が形成され、キャビネット（１０）の前面板には、スピーカ（３）が取り付けられている。
【００１６】
キャビネット（１０）の前面板には、スピーカ（３）の下方に開口（２１）が開設されており、該開口（２１）には、キャビネット（１０）の前面板から音響室（１１）の内部に向けてダクト（２）が突設されており、該ダクト（２）の先端部には開口（２２）が開設されている。これによって、音響室（１１）は、ダクト（２）の開口（２２）とキャビネット（１０）の前面板の開口（２１）を通じて外部に開放されることとなる。
【００１７】
又、キャビネット（１０）の音響室（１１）側に露出している面とスピーカ（３）の放音部を音響室（１１）の内側から覆う放音カバー（３１）には、熱又は振動によって空気中にマイナスイオンを発生させるトルマリンを粉砕した微粉末を主成分とする柔軟材からなる被覆層（５１）が形成されており、該被覆層（５１）によってマイナスイオン発生源が形成されている。
【００１８】
上記本発明に係るスピーカ装置においては、スピーカ（３）の振動に伴って音響室（１１）に形成された被覆層（５１）が振動することにより、被覆層（５１）のトルマリンの微粉末は空気中に大量のマイナスイオンを発生させるので、音響室（１１）内はマイナスイオンで満たされることとなる。該マイナスイオンは、前記スピーカ（３）からの音波に乗って、開口（２１）から外部に放出された後、空気中を徐々に移動し、最終的にはユーザの位置まで運ばれる。これによって、ユーザは、音楽を聞きながらマイナスイオンを浴びることとなる。
【００１９】
又、スピーカ装置の他の構造として、図３及び図４に示す如く、音響室（１１）に、コロナ放電装置（５２）を取り付け、該コロナ放電装置（５２）をマイナスイオン発生源とする構造も採用可能である。
該スピーカ装置の構造において、音響室（１１）内は、前記コロナ放電装置（５２）によって大量のマイナスイオンで満たされることとなる。該マイナスイオンは、前記スピーカ（３）からの音波に乗って、開口（２１）から外部に放出された後、空気中を徐々に移動し、最終的にはユーザの位置まで運ばれる。これによって、ユーザは、音楽を聞きながらマイナスイオンを浴びることとなる。
【００２０】
スピーカ装置の更に他の構造として、図５及び図６に示す如く、キャビネット（１０）の前面板を、熱又は振動によって空気中にマイナスイオンを発生させるトルマリンを粉砕した微粉末を含有した布材によって形成されたクロスネット（４）によって覆う構造も採用可能である。クロスネット（４）の裏面には、複数の係合ピンが取り付けられており、該係合ピンがキャビネット（１０）の前面板に形成された凹部（１５）と係合することにより、クロスネット（４）は図６の如くキャビネット（１０）に取り付けられる。
該スピーカ装置の構造においては、スピーカ（３）からの音波によってクロスネット（４）が振動することにより、クロスネット（４）のトルマリンの微粉末は空気中に大量のマイナスイオンを発生させる。該マイナスイオンは、前記スピーカ（３）からの音波に乗って、空気中を徐々に移動し、最終的にはユーザの位置まで運ばれる。又、音響室（１１）に放射された音波も同様に、開口（２１）を覆うクロスネット（４）を振動させるので、該振動によりクロスネット（４）のトルマリンの微粉末は空気中に大量のマイナスイオンを発生させる。該マイナスイオンは、前記スピーカ（３）からの音波に乗って、空気中を徐々に移動し、最終的にはユーザの位置まで運ばれる。これによって、ユーザは、音楽を聞きながらマイナスイオンを浴びることとなる。
【００２１】
上記本発明に係るスピーカ装置によれば、音楽によるリラクゼーション効果にマイナスイオンを浴びることによるリラクゼーション効果が相乗されることとなり、この結果、音楽によるリラクゼーション効果がより一層高められる。
【００２２】
電子機器に実施した形態
本発明に係る電子機器は、図７に示す如く、直方体状の本体（１）を具え、該本体（１）には操作部（１４）が形成されると共に、該操作部（１４）の下方にはスピーカ収容部（１２）が形成されている。操作部（１４）は、上部にカセット収容室（１８）を具え、該カセット収容室（１８）は、上部をカセットカバー（１７）によって覆われている。又、操作部（１４）の上面には複数の操作釦（１６）が配備されている。又、スピーカ収容部（１２）の内部には音響室（１３）が形成され、スピーカ収容部（１２）の前面板には、スピーカ（３）が取り付けられている。これによって、前記カセット収容室（１７）にカセットを収容し、操作釦（１６）を操作することにより、スピーカ（３）から音を発生させることが出来る。
【００２３】
前記スピーカ収容部（１２）の前面板には、スピーカ（３）の下方に開口（２１）が形成されており、該開口（２１）には、スピーカ収容部（１２）の前面板から音響室（１３）の内部に向けてダクト（２）が突設されており、該ダクト（２）の先端部には開口（２２）が開設されている。これによって、音響室（１１）は、ダクト（２）の開口（２２）とスピーカ収容部（１２）の前面板の開口（２１）を通じて外部に開放されることとなる。
【００２４】
又、本体（１）の音響室（１３）側に露出している面とスピーカ（３）の放音部を音響室（１３）の内側から覆う放音カバー（３１）には、熱又は振動によって空気中にマイナスイオンを発生させるトルマリンを粉砕した微粉末を主成分とする柔軟材からなる被覆層（５１）が形成されており、該被覆層（５１）によってマイナスイオン発生源が形成されている。
【００２５】
上記本発明に係る電子機器においては、スピーカ（３）の振動に伴って音響室（１３）に形成された被覆層（５１）が振動することにより、被覆層（５１）のトルマリンの微粉末は空気中に大量のマイナスイオンを発生させるので、音響室（１３）内は大量のマイナスイオンで満たされることとなる。該マイナスイオンは、前記スピーカ（３）からの音波に乗って、開口（２１）から外部に放出された後、空気中を徐々に移動し、最終的にはユーザの位置まで運ばれる。これによって、ユーザは、音楽を聞きながらマイナスイオンを浴びることとなる。
【００２６】
又、電子機器の他の構造として、音響室（１３）に、コロナ放電装置を取り付け、該コロナ放電装置をマイナスイオン発生源とする構造も採用可能である。
該電子機器の構造において、音響室（１３）内は、前記コロナ放電装置によって大量のマイナスイオンで満たされることとなる。該マイナスイオンは、前記スピーカ（３）からの音波に乗って、開口（２１）から外部に放出された後、空気中を徐々に移動し、最終的にはユーザの位置まで運ばれる。これによって、ユーザは、音楽を聞きながらマイナスイオンを浴びることとなる。
【００２７】
電子機器の更に他の構造として、スピーカ収容部（１２）の前面を、熱又は振動によって空気中にマイナスイオンを発生させるトルマリンを粉砕した微粉末を含有した布材によって形成されたクロスネットによって覆う構造も採用可能である。
該スピーカ装置の構造においては、スピーカ（３）からの音波によってクロスネットが振動することにより、クロスネットのトルマリンの微粉末は空気中に大量のマイナスイオンを発生させる。該マイナスイオンは、前記スピーカ（３）からの音波に乗って、空気中を徐々に移動し、最終的にはユーザの位置まで運ばれる。又、音響室（１３）に放射された音波も同様に、開口（２１）を覆うクロスネットを振動させるので、該振動によりクロスネットのトルマリンの微粉末は空気中に大量のマイナスイオンを発生させる。該マイナスイオンは、前記スピーカ（３）からの音波に乗って、空気中を徐々に移動し、最終的にはユーザの位置まで運ばれる。これによって、ユーザは、音楽を聞きながらマイナスイオンを浴びることとなる。
【００２８】
上記本発明に係る電子機器によれば、音楽によるリラクゼーション効果にマイナスイオンを浴びることによるリラクゼーション効果が相乗されることとなり、この結果、音楽によるリラクゼーション効果がより一層高められる。
【００２９】
尚、本発明の各部構成は上記実施の形態に限らず、特許請求の範囲に記載の技術的範囲内で種々の変形が可能である。例えば、本発明のスピーカ装置において、音響室（１１）の内面に被覆層（５１）を形成すると共に、音響室（１１）にマイナスイオン発生装置（５２）を取り付け、更にキャビネット（２）の前面板にクロスネット（４）を取り付けた構造によっても、上記実施例と同様或いはそれ以上の効果が得られる。又、本発明の電子機器において、スピーカ収容部（１２）の音響室（１３）にマイナスイオン発生装置（５２）を取り付けると共に、スピーカ収容部（１２）の前面板にクロスネット（４）を取り付けた構造によっても、上記実施例と同様或いはそれ以上の効果が得られる。又、熱又は振動によって空気中にマイナスイオンを発生させる物質として麦飯石を採用しても、上記実施例と同様の効果が得られる。
【図面の簡単な説明】
【図１】本発明に係るスピーカ装置の一部破断斜視図である。
【図２】該スピーカ装置の断面図である。
【図３】他のスピーカ装置の一部破断斜視図である。
【図４】該スピーカ装置の断面図である。
【図５】更に他のスピーカ装置の一部破断斜視図である。
【図６】該スピーカ装置のキャビネットにクロスネットを取り付けた状態を示す斜視図である。
【図７】本発明に係る電子機器の断面図である。
【符号の説明】
（１）  本体
（１０）  キャビネット
（１１）  音響室
（１２）  スピーカ収容部
（１３）  音響室
（１４）  操作部
（２）  ダクト
（２１）  開口
（３）  スピーカ
（４）  クロスネット
（５１）  被覆層
（５２）  コロナ放電装置
【図１】
2004274162.tif 000004
【図２】
2004274162.tif 000005
【図３】
2004274162.tif 000006
【図４】
2004274162.tif 000007
【図５】
2004274162.tif 000008
【図６】
2004274162.tif 000009
【図７】
2004274162.tif 000010